(57)【要約】【課題】遊技者が、操作ボタンの押圧等、図柄変動を停止させる操作を行った場合であっても、確定表示出目を容易に確認できるパチンコ遊技機を提供する。【解決手段】図柄変動表示装置１０と、図柄の変動表示を停止させるための操作ボタン２４とを備え、所定の始動条件の成立に基づいて変動表示を開始し、所定の図柄変動時間の経過または操作ボタン２４の操作に基づいて変動表示を停止して仮停止表示を行い、仮停止表示を行った後に確定表示を行い、確定表示を行った後、次の遊技動作への移行条件を満たしている場合に次の遊技動作へ移行するように構成したパチンコ遊技機において、操作ボタン２４の操作に基づいて、変動表示を停止して仮停止表示を行い、操作ボタン２４の操作の解除に基づいて、確定表示を行うように構成する。【選択図】　図３
2004073639.tif 000002
【特許請求の範囲】
【請求項１】
図柄の変動表示と仮停止表示と確定表示とが行われる図柄変動表示装置と、前記変動表示を停止させるための図柄停止操作手段とを備え、所定の始動条件の成立に基づいて前記変動表示を開始し、所定の図柄変動時間の経過または前記図柄停止操作手段の操作に基づいて前記変動表示を停止して前記仮停止表示を行い、前記仮停止表示を行った後に前記確定表示を行い、前記確定表示を行った後、次の遊技動作への移行条件を満たしている場合に前記次の遊技動作へ移行するように構成されたパチンコ遊技機であって、
前記図柄停止操作手段の操作に基づいて、前記変動表示を停止して前記仮停止表示を行い、前記図柄停止操作手段の操作の解除に基づいて、前記確定表示を行うように構成したことを特徴とするパチンコ遊技機。
【請求項２】
図柄の変動表示と仮停止表示と確定表示とが行われる図柄変動表示装置と、前記変動表示を停止させるための図柄停止操作手段とを備え、所定の始動条件の成立に基づいて前記変動表示を開始し、所定の図柄変動時間の経過または前記図柄停止操作手段の操作に基づいて前記変動表示を停止して前記仮停止表示を行い、前記仮停止表示を行った後に前記確定表示を行い、前記確定表示を行った後、次の遊技動作への移行条件を満たしている場合に前記次の遊技動作へ移行するように構成されたパチンコ遊技機であって、
前記図柄停止操作手段の操作に基づいて、前記変動表示を停止して前記仮停止表示及び前記確定表示を行い、前記図柄停止操作手段の操作の解除に基づいて、前記次の遊技動作への移行を許可するように構成したことを特徴とするパチンコ遊技機。
【請求項３】
前記図柄停止操作手段の操作に基づく前記仮停止表示が所定の特別態様をなす場合には、前記図柄停止操作手段の操作の解除に基づいて、所定の特別演出表示を行い、前記特別演出表示の終了後に、前記確定表示を行うように構成したことを特徴とする請求項１記載のパチンコ遊技機。
【請求項４】
前記仮停止表示が行われているときには、前記確定表示が行われていない旨を報知するための報知演出を行うように構成したことを特徴とする請求項１または２記載のパチンコ遊技機。
【請求項５】
前記報知演出は、前記仮停止表示された図柄を揺動させる動作、または、前記仮停止表示された図柄を点灯若しくは点滅させる動作のうち、少なくとも一方の動作を含むことを特徴とする請求項４記載のパチンコ遊技機。
【発明の詳細な説明】
【０００１】
【発明の属する技術分野】
本発明は、始動入賞口に遊技球が入賞すると、複数の図柄が変動表示され、図柄が予め決められた配列に揃って停止した時、遊技者にとって有利な大当たり状態を発生させるパチンコ遊技機に関する。なお、この明細書における「大当たり」とは、特定の入賞口が開口して多くの遊技球が入賞可能な特別遊技状態を意味するものである。
【０００２】
【従来の技術】
従来、所定の始動入賞口に遊技球が入ると、図柄変動表示装置の３列の図柄が上から下に流れるように変動表示され、その後、それらの図柄が停止して、例えば「６６６」のように所定の図柄が揃って確定表示されたとき、大当たりとなって、可変入賞装置の大入賞口が開閉動作し、多くの遊技球を入賞させることができるパチンコ遊技機が知られている。なお、図柄が揃うか否か、すなわち、大当たりとなるか否かは、図柄の変動開始時に、パチンコ遊技機に設けられた制御部が乱数を用いて抽選を行うことにより、決定されている。
【０００３】
かかるパチンコ遊技機には、図柄の変動表示を停止させるための操作ボタンが設けられていることがあり、図柄の変動表示中に遊技者がその操作ボタンを押すと、図柄が即時停止されて確定表示され、遊技者は確定表示された図柄（以下、確定表示出目とも言う。）を早く知ることができるという利点がある。
【０００４】
【発明が解決しようとする課題】
しかし、上記従来のパチンコ遊技機では、遊技者が操作ボタンを押すと図柄が即時停止され確定表示されるものの、遊技者が確定表示出目を確認したか否かに関わらず、次の遊技動作への移行条件を満たしている場合には、自動的に次の遊技動作に移行してしまう。例えば、始動入賞口に次の遊技球が入賞している場合（すなわち、始動入賞口への入賞による図柄の変動表示中に、さらに始動入賞口に入賞し保留された遊技球がある場合）には、確定表示出目がすぐに次の変動表示に切り替えられてしまうため、遊技者は確定表示出目の確認が困難であるという問題があった。
【０００５】
本発明は、上記の点に鑑みてなされたもので、遊技者が、操作ボタンの押圧等、図柄変動を停止させる操作を行った場合であっても、確定表示出目を容易に確認できるパチンコ遊技機を提供することを目的とする。
【０００６】
【課題を解決するための手段】
本発明のパチンコ遊技機は、図柄の変動表示と仮停止表示と確定表示とが行われる図柄変動表示装置と、前記変動表示を停止させるための図柄停止操作手段とを備え、所定の始動条件の成立に基づいて前記変動表示を開始し、所定の図柄変動時間の経過または前記図柄停止操作手段の操作に基づいて前記変動表示を停止して前記仮停止表示を行い、前記仮停止表示を行った後に前記確定表示を行い、前記確定表示を行った後、次の遊技動作への移行条件を満たしている場合に前記次の遊技動作へ移行するように構成されたものであって、前記図柄停止操作手段の操作に基づいて、前記変動表示を停止して前記仮停止表示を行い、前記図柄停止操作手段の操作の解除に基づいて、前記確定表示を行うように構成したことを特徴とする。
【０００７】
また、本発明のパチンコ遊技機は、図柄の変動表示と仮停止表示と確定表示とが行われる図柄変動表示装置と、前記変動表示を停止させるための図柄停止操作手段とを備え、所定の始動条件の成立に基づいて前記変動表示を開始し、所定の図柄変動時間の経過または前記図柄停止操作手段の操作に基づいて前記変動表示を停止して前記仮停止表示を行い、前記仮停止表示を行った後に前記確定表示を行い、前記確定表示を行った後、次の遊技動作への移行条件を満たしている場合に前記次の遊技動作へ移行するように構成されたものであって、前記図柄停止操作手段の操作に基づいて、前記変動表示を停止して前記仮停止表示及び前記確定表示を行い、前記図柄停止操作手段の操作の解除に基づいて、前記次の遊技動作への移行を許可するように構成したことを特徴とする。
【０００８】
ここで、前記図柄停止操作手段の操作に基づく前記仮停止表示が所定の特別態様をなす場合には、前記図柄停止操作手段の操作の解除に基づいて、所定の特別演出表示を行い、前記特別演出表示の終了後に、前記確定表示を行うように構成することが好ましい。
【０００９】
また、前記仮停止表示が行われているときには、前記確定表示が行われていない旨を報知するための報知演出を行うように構成することが好ましい。
【００１０】
ここで、前記報知演出としては、前記仮停止表示された図柄を揺動させる動作、または、前記仮停止表示された図柄を点灯若しくは点滅させる動作のうち、少なくとも一方の動作を含めるとよい。
【００１１】
【発明の実施の形態】
以下、本発明の第１〜第３実施形態について、図面に基づいて説明する。
【００１２】
まず、第１〜第３実施形態に共通な部分について説明する。図１はパチンコ遊技機の正面図を示している。図１において、１はパチンコ機の木枠であり、木枠１の前には前面枠２が蝶番を介して開閉可能に装着され、前面枠２の前面にはガラス扉５を開閉可能に設けた金枠が取り付けられ、前面枠２の内側に遊技盤３が着脱可能に取り付けられる。また、遊技盤３の背面側に合成樹脂製の機構板（図示せず）がヒンジを介して回動可能に装着され、この機構板には、後述する制御基板３０が取り付けられる。
【００１３】
ガラス扉５の下側に、前板７が図示しない発射レールや打球杆を覆うように開閉可能に装着され、前板７の前面には打球供給皿６が設けられる。更に、前面枠２の下部には、打球発射装置の一部を構成する打球発射ハンドル９が設けられると共に、打球供給皿６で貯留できなくなった賞球を貯留する下皿８が設けられ、また、図柄の変動表示を停止するための図柄停止操作手段となる操作ボタン２４が設けられる。
【００１４】
遊技盤３の前面には、中央に、図柄変動表示装置１０が配設される。図柄変動表示装置１０は、カラー液晶表示器等の表示器１０ａを備えており、表示器１０ａは、３列に配置した複数の数字や絵の図柄が上から下に流れるように変動表示されるように構成される。以下、この図柄の変動表示を図柄変動とも言う。
【００１５】
表示器１０ａの上方には、保留表示ランプ１５が複数のランプ等を配置して設けられ、保留表示ランプ１５は、始動入賞口１３への入賞による図柄変動時に、さらに始動入賞口１３に入賞し保留された遊技球の数（保留個数）を表示するように構成される。
【００１６】
保留表示ランプ１５の上方には、普通図柄表示器１６が設けられる。この普通図柄表示器１６は、盤面上に設けられた通過ゲート４を球が通過し、ゲート検出器がそれを検出したとき、例えば１桁の数値が高速で循環・表示されるように構成される。そして、普通図柄表示器１６の数字変動は、数秒後に停止するが、その停止図柄（数字）が所定の例えば「７」であった場合、後述の始動入賞口１３の羽根部材１３ｃが所定の秒数だけ開放される。また、遊技盤３の盤面上には、装飾ランプ１７が設けられる。
【００１７】
図柄変動表示装置１０の中央位置の下方には、始動入賞口１３が設けられている。始動入賞口１３は開閉可能な羽根部材１３ｃを有し、羽根部材１３ｃは始動入賞口ソレノイドにより開閉駆動され、始動入賞口１３に入賞した遊技球はその内側に配設された始動記憶スイッチ１４（図２参照）により検出される。この始動入賞口１３への遊技球の入賞が、図柄変動表示装置１０における図柄変動を開始させる始動条件となる。
【００１８】
図柄変動表示装置１０の両側には、通常入賞口１２が配設され、始動入賞口１３の下側には、可変入賞装置１１が設けられる。可変入賞装置１１には、開閉部材１１ａにより開閉される大入賞口が設けられ、開閉部材１１ａは、電磁ソレノイド等により開閉駆動される。大入賞口の内側には、大入賞口に入賞した球を検出するカウントスイッチ１８（図２参照）が設けられる。また、大入賞口内には、特定入賞口が設けられ、特定入賞口に入賞した球を検出するための特定領域スイッチ１９（図２参照）がその内側に設けられる。これらの入賞口に入賞した入賞球の数をカウントするカウンタがＲＡＭ２２（図２参照）の特定メモリ領域などに設けられ、例えば大入賞口への入賞球のカウント値が９個になると、開閉部材１１ａは閉じられる。なお、開閉部材１１ａの１回の開放が１ラウンドとされ、所定時間内に特定入賞口に入賞すると、ラウンドが更新され、最大で例えば１６ラウンドつまり１６回開閉部材１１ａが開放される。
【００１９】
図２に示すように、パチンコ遊技機に設けられた制御基板３０には、制御部であるＣＰＵ２０、リーチ、大当たり等の抽選を行うための抽選テーブルやゲームのプログラムが記憶された読み出し専用のＲＯＭ２１、連続開閉回数（ラウンド数）等のデータを一時的に記憶する読み書き可能なＲＡＭ２２、及び入出力回路２３が設けられる。
【００２０】
入出力回路２３には、始動記憶スイッチ１４、カウントスイッチ１８、特定領域スイッチ１９、及び、操作ボタン２４が接続される。始動記憶スイッチ１４は、始動入賞口１３に入賞した遊技球を検知してその検知信号を出力する。カウントスイッチ１８は、大入賞口に入賞した遊技球を検知してその検知信号を出力する。特定領域スイッチ１９は、特定入賞口に入賞した遊技球を検知してその検知信号を出力する。これらのスイッチからの検知信号は、入出力回路２３を介してＣＰＵ２０に入力される。また、操作ボタン２４が操作されたり、操作ボタン２４の操作が解除されたりすると、それぞれ、その旨の信号が入出力回路２３を介してＣＰＵ２０に入力される。
【００２１】
また、入出力回路２３には、図柄変動表示装置１０、保留表示ランプ１５、装飾ランプ１７、及び、各種のソレノイド２５が接続される。図柄変動表示装置１０は、ＣＰＵ２０からの制御信号を受取って動作し、表示器１０ａを制御して、上述したような図柄変動や、後述するような図柄の仮停止表示、図柄の確定表示等を行う。
【００２２】
また、保留表示ランプ１５は、ＣＰＵ２０からの制御信号に応じて、保留個数に応じた数のランプを点灯させる。装飾ランプ１７は、ＣＰＵ２０からの制御信号に応じて、各種の装飾用表示を行う。各種ソレノイド２５は、ＣＰＵ２０からの制御信号に応じて、可変入賞装置１１の開閉部材１１ａや始動入賞口１３の羽根部材１３ｃ等を駆動する。
【００２３】
ＣＰＵ２０は、図柄変動制御、大当たり判定制御、大当たり動作制御等を行う制御部である。図柄変動制御とは、図柄変動表示装置１０に各種の制御信号を送って、図柄変動や、図柄の仮停止表示、図柄の確定表示等を行わせるものである。大当たり判定制御とは、遊技中に始動入賞口１３に遊技球が入賞して始動条件が成立すると（すなわち、始動記憶スイッチ１４から検知信号を受取ると）、乱数発生器から大当たり抽選用の乱数を取得して抽選テーブルと比較し、大当たり抽選の処理を行うものである。大当たり動作制御とは、大当たり抽選で大当たりが選択された場合（すなわち、大当たりを示す乱数が取得された場合）、ソレノイド２５等に大当たり信号を送って、可変入賞装置１１の開閉部材１１ａを開閉動作させる等の大当たり処理を実行させるものである。
【００２４】
次に、第１実施形態のパチンコ遊技機の動作について、図３のフローチャートを参照して説明する。パチンコゲームの遊技中に、遊技球が始動入賞口１３に入賞すると、始動記憶スイッチ１４がこれを検出し、始動入賞信号をＣＰＵ２０に送る。すると、ＣＰＵ２０は、大当たり抽選を行うとともに、図柄変動表示装置１０に図柄変動開始信号を送って図柄変動を開始させる（図３のＳ１００参照）。なお、大当たり抽選の結果、大当たりが選択された場合には大当たり信号が、リーチが選択された場合にはリーチ信号が、それぞれ図柄変動表示装置１０に送られる。
【００２５】
次に、所定の図柄変動時間中に遊技者が操作ボタン２４を操作（ここでは押圧）すると、操作ボタン２４から操作された旨の信号がＣＰＵ２０に送られ、ＣＰＵ２０はその信号を受け取ると、図柄停止操作手段の操作有りと判断して（Ｓ１０１）、図柄変動表示装置１０に図柄仮停止信号を送る。
【００２６】
図柄仮停止信号を受け取った図柄変動表示装置１０は、図柄変動を停止して図柄を仮停止表示する（Ｓ１０２）。仮停止表示とは、図柄が未確定の状態での仮の表示である。なお、ＣＰＵ２０から大当たり信号やリーチ信号が送られている場合には、例えば「７２７」といった所定の特別態様で図柄を仮停止表示する。また、仮停止表示では、表示された図柄を揺動させる報知演出を行って、確定表示ではないことを遊技者に報知する。
【００２７】
そして、遊技者が操作ボタン２４の操作を解除すると（ここでは、操作ボタン２４の押圧を止めると）、操作ボタン２４から操作が解除された旨の信号がＣＰＵ２０に送られ、ＣＰＵ２０はその信号を受取ると、図柄停止操作手段の操作解除有りと判断して（Ｓ１０３）、図柄変動表示装置１０に図柄確定信号を送る。
【００２８】
図柄確定信号を受け取った図柄変動表示装置１０は、図柄を確定表示する（Ｓ１０６）。すなわち、図柄変動表示装置１０は、図柄の揺動を停止し、大当たり信号が送られている場合には例えば「７７７」で図柄を揃え、大当たり信号が送られていない場合には図柄を揃えずに、図柄を確定表示する。これにより、図柄変動処理が終了する（Ｓ１０７）。
【００２９】
一方、所定の図柄変動時間中に、図柄停止操作手段の操作がなかった（すなわち、操作ボタン２４から操作された旨の信号を受取らなかった）場合には、図柄変動表示装置１０は通常の図柄変動を行う（Ｓ１０４）。そして、所定の図柄変動時間が経過すると、ＣＰＵ２０は図柄変動表示装置１０に図柄仮停止信号を送り、その信号を受け取った図柄変動表示装置１０は、上記と同様に図柄変動を停止して図柄の仮停止表示を行い（Ｓ１０５）、所定の仮停止表示時間経過後、図柄の確定表示を行い（Ｓ１０６）、図柄変動処理を終了する（Ｓ１０７）。
【００３０】
図柄変動を終了した後、次の遊技動作への移行条件が満たされている場合、ＣＰＵ２０は、次の遊技動作へ自動的に移行する（Ｓ１０８）。ここで、次の遊技動作としては、次の図柄変動や大当たり動作があり、次の図柄変動への移行条件とは、始動入賞口１３への入賞による図柄変動時にさらに始動入賞口１３に入賞し保留された遊技球があることであり、大当たり動作への移行条件とは、所定の図柄で揃って確定表示されること（すなわち、大当たり抽選で大当たりが選択されていること）である。
【００３１】
上記第１実施形態によれば、操作ボタン２４を押圧すれば図柄が仮停止表示され、操作ボタン２４の押圧を止めない限り、図柄は仮停止表示のままであり、操作ボタン２４の押圧を止めると、図柄が確定表示される。したがって、遊技者は自分で図柄を確定表示させるタイミングを計ることができるので、確定表示出目の確認が容易となる。また、仮停止表示の場合は図柄が揺動しているので、遊技者は、図柄が未確定の状態であることを容易に知ることができ、遊技者が仮停止表示を確定表示であると誤認することを防ぐことができる。
【００３２】
次に、本発明の第２実施形態のパチンコ遊技機の動作について、図４のフローチャートに基づいて説明する。なお、図４のＳ２００〜Ｓ２０５の各ステップにおける動作は、第１実施形態の図３のＳ１００〜Ｓ１０５の各ステップにおける動作と同様であるので、簡単に説明する。
【００３３】
ＣＰＵ２０は、始動入賞口１３への入賞を契機に、大当たり抽選を行うとともに、図柄変動表示装置１０に図柄変動を開始させる（図４のＳ２００参照）。そして、ＣＰＵ２０は、所定の図柄変動時間中に遊技者が操作ボタン２４を押圧すると、図柄停止操作手段の操作有りと判断し（Ｓ２０１）、図柄変動表示装置１０に図柄を仮停止表示させる（Ｓ２０２）。そして、遊技者が操作ボタン２４の押圧を止めると、ＣＰＵ２０は、図柄停止操作手段の操作解除有りと判断し（Ｓ２０３）、仮停止表示された図柄が所定の特別態様か否かの判断に進む（Ｓ２０６）。一方、所定の図柄変動時間中に、図柄停止操作手段の操作がなかった場合には、図柄変動表示装置１０は通常の図柄変動を行い（Ｓ２０４）、所定の図柄変動時間が経過すると、図柄の仮停止表示を行う（Ｓ２０５）。そして、所定の仮停止表示時間経過後、仮停止表示された図柄が所定の特別態様か否かの判断に進む（Ｓ２０６）。
【００３４】
ＣＰＵ２０は、仮停止表示された図柄が所定の特別態様である場合（すなわち、大当たりやリーチが選択されている場合）、図柄変動表示装置１０に特別演出信号を送り、特別演出信号を受け取った図柄変動表示装置１０は、所定の特別演出表示を行う（Ｓ２０７）。すなわち、ＣＰＵ２０から大当たり信号やリーチ信号が送られている場合には、上述したように「７２７」といった所定の特別態様で図柄が仮停止表示されているが、図柄変動表示装置１０は、この仮停止表示を切り替えて、例えば所定のリーチ演出を行った後に図柄を再変動させる等の特別演出表示を行う。所定のリーチ演出としては、例えばキャラクターを表示して所定の動作を行わせる等の演出がある。特別演出表示終了後、図柄変動表示装置１０は、大当たり信号が送られている場合には例えば「７７７」で図柄を揃え、大当たり信号が送られていない場合には図柄を揃えずに、図柄を確定表示する（Ｓ２０８）。
【００３５】
一方、ＣＰＵ２０は、仮停止表示された図柄が所定の特別態様でない場合（すなわち、大当たりやリーチが選択されていない場合）、図柄変動表示装置１０に図柄確定信号を送る。この場合、図柄変動表示装置１０は、特別演出表示を行わずに、図柄を確定表示する（Ｓ２０８）。
【００３６】
図柄の確定表示により、図柄変動処理が終了し（Ｓ２０９）、その後、次の遊技動作への移行条件が満たされている場合には、ＣＰＵ２０は次の遊技動作へ自動的に移行する（Ｓ２１０）。次の遊技動作及びその移行条件としては、上記第１実施形態で挙げたようなものがある。
【００３７】
上記第２実施形態によれば、第１実施形態と同様に確定表示出目の確認が容易となるとともに、大当たり等の特別の場合には特別演出表示が行われるので、遊技の興趣を高めることができる。
【００３８】
次に、本発明の第３実施形態のパチンコ遊技機の動作について、図５のフローチャートに基づいて説明する。なお、第３実施形態においても、第１、第２実施形態と同様の動作を行うステップについては、簡単に説明する。
【００３９】
ＣＰＵ２０は、始動入賞口１３への入賞を契機に、大当たり抽選を行うとともに、図柄変動表示装置１０に図柄変動を開始させる（図５のＳ３００参照）。そして、ＣＰＵ２０は、所定の図柄変動時間中に遊技者が操作ボタン２４を押圧すると、図柄停止操作手段の操作有りと判断し（Ｓ３０１）、図柄変動表示装置１０に図柄を仮停止表示させる（Ｓ３０２）。仮停止表示においては、図柄を揺動させる。所定の仮停止表示時間経過後、ＣＰＵ２０は、仮停止表示を切り替えて、図柄を確定表示する（Ｓ３０３）。確定表示においては、図柄は揺動させない。これにより、図柄変動処理が終了する（Ｓ３０４）。
【００４０】
そして、ＣＰＵ２０は、図柄停止操作手段の操作が解除されるまでは、すなわち、操作ボタン２４から操作された旨の信号を受取るまでは、次の遊技動作への移行を許可しない。すなわち、次の遊技動作への移行条件を満たしていても次の遊技動作には移行しない。一方、図柄停止操作手段の操作が解除された場合には、すなわち、操作ボタン２４から操作された旨の信号を受取った場合には、次の遊技動作への移行を許可する。すなわち、次の遊技動作への移行条件を満たしていれば、次の遊技動作に移行する（Ｓ３０５、Ｓ３１０）。次の遊技動作及びその移行条件としては、上記第１実施形態で挙げたようなものがある。
【００４１】
また、所定の図柄変動時間中に、図柄停止操作手段の操作がなかった場合には、図柄変動表示装置１０は通常の図柄変動を行う（Ｓ３０６）。そして、所定の図柄変動時間が経過すると、図柄変動表示装置１０は図柄の仮停止表示を行い（Ｓ３０７）、所定の仮停止表示時間経過後、図柄の確定表示を行い（Ｓ３０８）、図柄変動処理を終了する（Ｓ３０９）。そして、次の遊技動作への移行条件を満たしている場合には、次の遊技動作に移行する（Ｓ３１０）。
【００４２】
上記第３実施形態によれば、操作ボタン２４を押圧すれば図柄が仮停止表示された後確定表示されるが、操作ボタン２４の押圧を止めない限り、次の遊技動作へ移行しない。すなわち、次の図柄変動や大当たり動作が開始されて図柄が切り替わってしまうことがない。したがって、遊技者は操作ボタン２４を押し続けている限り、確定表示出目を見ることができ、確定表示出目の確認が容易となる。
【００４３】
なお、本発明は上記実施形態に限定されるものではなく、例えば、第１実施形態及び第２実施形態では、操作ボタン２４が押圧されている限り図柄を確定表示しないように構成したが、操作ボタン２４が押圧されてからの時間を計測し、その計測時間が所定の時間に達した場合には、操作ボタン２４が押圧されていても、図柄を確定表示するように構成してもよい。
【００４４】
また、第３実施形態では、操作ボタン２４が押圧されている限り次の遊技動作へ移行しないように構成したが、操作ボタン２４が押圧されてからの時間を計測し、その計測時間が所定の時間に達した場合には、次の遊技動作への移行を許可するように、すなわち、操作ボタン２４が押圧されていても次の遊技動作へ移行するように構成してもよい。
【００４５】
また、第２実施形態では、大当たりの場合には、操作ボタン２４を押圧すると「７２７」等の所定の特別態様で図柄を仮停止表示し、操作ボタン２４を離すと所定のリーチ演出を表示後、図柄を再変動し、「７７７」等に図柄を揃えて確定表示する実施形態を示したが、大当たりの場合に、操作ボタン２４を押圧すると「２２２」等の所定の特別態様で図柄を仮停止表示し、操作ボタン２４を離すと図柄を再変動して「７７７」等に図柄を揃えて確定表示する等、リーチ演出を行わない実施形態としてもよい。
【００４６】
また、第３実施形態において、仮停止表示された図柄が所定の特別態様である場合には、所定の特別演出表示を行った後、図柄を確定表示するように構成しても勿論よい。
【００４７】
また、上記実施形態では、いずれも仮停止表示の場合の報知演出として、図柄を揺動させたが、図柄を揺動させるとともに点灯または点滅させたり、揺動させずに点灯または点滅させたりしてもよい。要するに、仮停止表示の場合の報知演出は、図柄が仮停止表示である旨（言い換えれば、図柄が確定表示されていない旨）を遊技者に報知するための演出であれば、いかなる演出であってもよい。
【００４８】
また、所定の特別態様で仮停止表示され所定の特別演出表示が行われる場合は、リーチや大当たりに限らず、任意に定めることができる。また、仮停止表示される図柄と確定表示される図柄とは、異なる図柄であってもよいし、同じ図柄であってもよい。また、図柄停止操作手段として操作ボタン２４以外のものを設けても勿論よい。
【００４９】
すなわち、特許請求の範囲を逸脱しない範囲で、本発明は種々の実施形態を採り得る。
【００５０】
【発明の効果】
本発明のパチンコ遊技機は、図柄の変動表示と仮停止表示と確定表示とが行われる図柄変動表示装置と、前記変動表示を停止させるための図柄停止操作手段とを備え、所定の始動条件の成立に基づいて前記変動表示を開始し、所定の図柄変動時間の経過または前記図柄停止操作手段の操作に基づいて前記変動表示を停止して前記仮停止表示を行い、前記仮停止表示を行った後に前記確定表示を行い、前記確定表示を行った後、次の遊技動作への移行条件を満たしている場合に前記次の遊技動作へ移行するように構成されたものであって、前記図柄停止操作手段の操作に基づいて、前記変動表示を停止して前記仮停止表示を行い、前記図柄停止操作手段の操作の解除に基づいて、前記確定表示を行うように構成したことを特徴とする。
【００５１】
これによれば、遊技者は、図柄停止操作手段の操作により図柄を仮停止表示させ、図柄停止操作手段の操作の解除により、図柄を確定表示させることができる。したがって、遊技者は自分で図柄を確定表示させるタイミングを計ることができるので、確定表示出目の確認が容易となる。
【００５２】
ここで、前記図柄停止操作手段の操作に基づく前記仮停止表示が所定の特別態様をなす場合には、前記図柄停止操作手段の操作の解除に基づいて、所定の特別演出表示を行い、前記特別演出表示の終了後に、前記確定表示を行うように構成すれば、大当たり等の特別の場合には特別演出表示が行われるので、遊技の興趣を高めることができる。
【００５３】
また、本発明のパチンコ遊技機は、図柄の変動表示と仮停止表示と確定表示とが行われる図柄変動表示装置と、前記変動表示を停止させるための図柄停止操作手段とを備え、所定の始動条件の成立に基づいて前記変動表示を開始し、所定の図柄変動時間の経過または前記図柄停止操作手段の操作に基づいて前記変動表示を停止して前記仮停止表示を行い、前記仮停止表示を行った後に前記確定表示を行い、前記確定表示を行った後、次の遊技動作への移行条件を満たしている場合に前記次の遊技動作へ移行するように構成されたものであって、前記図柄停止操作手段の操作に基づいて、前記変動表示を停止して前記仮停止表示及び前記確定表示を行い、前記図柄停止操作手段の操作の解除に基づいて、前記次の遊技動作への移行を許可するように構成したことを特徴とする。
【００５４】
これによれば、遊技者は、図柄停止操作手段の操作により図柄を仮停止表示及び確定表示させ、図柄停止操作手段の操作の解除に基づいて、次の遊技動作へ移行させることができる。したがって、遊技者は図柄停止操作手段の操作を解除しないことにより、次の遊技動作への移行を遅らせて確定表示出目をゆっくり確認することができ、確定表示出目の確認が容易となる。
【００５５】
また、前記仮停止表示が行われているときには、前記確定表示が行われていない旨を報知するための報知演出を行うように構成すれば、遊技者は、図柄が未確定の状態であることを容易に知ることができる。
【図面の簡単な説明】
【図１】本発明の第１〜第３実施形態のパチンコ遊技機の正面図である。
【図２】図１のパチンコ遊技機の制御系のブロック図である。
【図３】第１実施形態のパチンコ遊技機の動作を示すフローチャートである。
【図４】第２実施形態のパチンコ遊技機の動作を示すフローチャートである。
【図５】第３実施形態のパチンコ遊技機の動作を示すフローチャートである。
【符号の説明】
１０−図柄変動表示装置
２４−操作ボタン（図柄停止操作手段）
【図１】
2004073639.tif 000003
【図２】
2004073639.tif 000004
【図３】
2004073639.tif 000005
【図４】
2004073639.tif 000006
【図５】
2004073639.tif 000007